(57)【要約】      （修正有）【課題】光電子増倍管を用いた観察中においても試料室の内部を表す画像が得られる荷電粒子線装置を提供する。【解決手段】二次電子検出器に含まれる光電子増倍管に高電圧（ＨＶ）が印加されている場合、近赤外ランプを点灯させると共に可視光ランプを消灯させる。これにより、近赤外光によって試料室の内部が照らされて、光学カメラによって単色画像が撮影される。光電子増倍管に高電圧が印加されていない場合、近赤外ランプを消灯させると共に可視光ランプを点灯させる。これにより、可視光によって試料室の内部が照らされて、光学カメラによってカラー画像が撮影される。【選択図】図４
2019133787.tif 000002
【特許請求の範囲】
【請求項１】
試料が配置される試料室と、
光電子増倍管を有し、前記試料からの信号を検出する検出器と、
前記試料室の内部を撮影する光学カメラと、
前記試料室の内部に特別光を照射する第１照明器と、
前記試料室の内部に一般光を照射する第２照明器と、
前記光電子増倍管の動作中に前記第１照明器を動作させ、前記光電子増倍管の非動作中に前記第２照明器を動作させる制御部と、
を含むことを特徴とする荷電粒子線装置。
【請求項２】
請求項１に記載の荷電粒子線装置において、
前記制御部は、前記光電子増倍管の電源のオン又はオフに応じて、前記第１照明器又は前記第２照明器を動作させる、
ことを特徴とする荷電粒子線装置。
【請求項３】
請求項２に記載の荷電粒子線装置において、
前記制御部は、前記電源がオン状態の場合に前記第２照明器を動作させずに前記第１照明器を動作させ、前記電源がオフ状態の場合に前記第２照明器を動作させる、
ことを特徴とする荷電粒子線装置。
【請求項４】
請求項３に記載の荷電粒子線装置において、
前記制御部は、前記電源がオフになった時点から遅延時間が経過した後に、前記第２照明器を動作させる、
ことを特徴とする荷電粒子線装置。
【請求項５】
請求項２から請求項４のいずれか一項に記載の荷電粒子線装置において、
開閉動作可能な仕切り部材であって、閉状態のときに前記試料への荷電粒子線の照射を遮断し、開状態のときに前記試料への荷電粒子線の照射を遮断しない仕切り部材を更に含み、
前記電源のオン及びオフは、前記仕切り部材の開動作及び閉動作に連動し、
前記制御部は、前記電源のオン及びオフに連動して、前記第１照明器又は前記第２照明器を動作させる、
ことを特徴とする荷電粒子線装置。
【請求項６】
請求項１から請求項５のいずれか一項に記載の荷電粒子線装置において、
前記特別光は、近赤外領域の波長を有する光であり、
前記一般光は、可視光領域の波長を有する光である、
ことを特徴とする荷電粒子線装置。
【請求項７】
請求項６に記載の荷電粒子線装置において、
前記制御部は、カラー画像表示を優先させるモードでは、前記光電子増倍管の電源をオフすると共に、前記第２照明器を動作させる、
ことを特徴とする荷電粒子線装置。
【発明の詳細な説明】
【技術分野】
【０００１】
本発明は、荷電粒子線装置における試料室の内部を観察するための技術に関する。
【背景技術】
【０００２】
走査型電子顕微鏡等の荷電粒子線装置は、荷電粒子ビームを用いて観察を行う装置である。例えば、走査型電子顕微鏡においては、電子線が試料に照射され、その試料から発生した二次電子が、検出器で捕獲されて電界によって加速されて蛍光板に照射される。蛍光板から発生した光が、光電子増倍管によって増幅されて電気信号に変換され、これにより、二次電子像が形成される。通常、走査型電子顕微鏡に使用される光電子増倍管は、３００〜６５０ｎｍの波長を有する光を検出する。但し、蛍光塗料から発生する光は、その材質にもよるが、応答性等も考慮されて波長のピークが４００ｎｍ近傍にある。
【０００３】
また、走査型電子顕微鏡には、各種の分析用のアタッチメント（例えば、ＥＤＳ、ＷＤＳ、ＥＢＳＤ、イオン銃等）が取り付けられる場合がある。この場合、一般的には、アタッチメントが最適な位置に配置されるように、試料室内の試料の位置やアタッチメントの位置が作業者によって確認される。その確認のために、試料室の内部を観察することができる光学カメラが用いられる。また、光学カメラによる観察のために照明が用いられる。
【０００４】
例えば、特許文献１には、白色ＬＥＤ、青色ＬＥＤ及び赤外ＬＥＤが、カメラによる観察のための照明として用いられることが記載されている。特許文献１に記載の装置においては、各ＬＥＤは操作者の指示によって切り替えられる。
【先行技術文献】
【特許文献】
【０００５】
【特許文献１】国際公開第２０１６／０８８２６０号
【発明の概要】
【発明が解決しようとする課題】
【０００６】
ところで、光電子増倍管を用いた観察中においては（例えば、二次電子像の観察中においては）、光学カメラによる観察用の照明として、光電子増倍管の検出外の波長を有する光を用いなければ、その光も信号として検出されてしまい、ＤＣレベルが上昇してしまう。また、光が強すぎて光電子増倍管が破壊される場合もあり得る。そのため、通常、７５０〜１４００ｎｍの波長域を有する近赤外ランプが、光学カメラによる観察用の照明ランプとして用いられる。しかし、近赤外ランプの照明では、光学カメラによって撮影された試料室内部の画像は単色の画像となるので、観察者にとって、試料、その他の移動部材及びアタッチメントの区別がつきにくい。従って、近赤外ランプは、試料室内部の状況の観察に必ずしも適しているとはいえない。
【０００７】
また、光学カメラによる観察用の照明ランプとして、可視光ランプを用いることが考えられる。可視光ランプを用いることで、鮮明なカラー画像が得られる。この場合、観察者は、カラー画像によって試料室内部の状況を観察して試料や他の部材の位置関係を設定し、その後、光電子増倍管に対する可視光の影響を防止するために可視光ランプを消灯し、光電子増倍管を用いた観察（例えば二次電子像の観察）を行うことになる。しかし、光電子増倍管を用いた観察中に位置関係を変更する場合、光電子増倍管に対する可視光の影響を防止するために、光電子増倍管を用いた観察を一旦終了してから可視光ランプを点灯させて位置関係を設定する必要があり、その作業が煩雑となる。
【０００８】
本発明の目的は、荷電粒子線装置において、光電子増倍管を用いた観察中においても試料室の内部を表す画像が得られるようにすることにある。
【課題を解決するための手段】
【０００９】
本発明の１つの態様は、試料が配置される試料室と、光電子増倍管を有し、前記試料からの信号を検出する検出器と、前記試料室の内部を撮影する光学カメラと、前記試料室の内部に特別光を照射する第１照明器と、前記試料室の内部に一般光を照射する第２照明器と、前記光電子増倍管の動作中に前記第１照明器を動作させ、前記光電子増倍管の非動作中に前記第２照明器を動作させる制御部と、を含むことを特徴とする荷電粒子線装置である。
【００１０】
上記の構成によれば、光電子増倍管の動作中においては、特別光が試料室の内部に照射され、その特別光が照らされた状態の試料室の内部が光学カメラによって撮影される。これにより、特別光の照射の下で撮影された試料室内部を表す画像が得られる。光電子増倍管が非動作中においては、一般光が試料室の内部に照射され、その一般光が照らされた状態の試料室の内部が光学カメラによって撮影される。これにより、一般光の照射の下で撮影された試料室内部を表す画像が得られる。上記の構成によれば、光電子増倍管の動作中においても、観察者は、特別光の照射の下で撮影された画像によって、試料室の内部を観察することができる。例えば、特別光は、光電子増倍管の検出外の波長を有する光であり、一般光は、光電子増倍管が検出可能な波長を有する光である。それ故、光電子増倍管の動作中においても、一般光が光電子増倍管に入射することで発生し得る問題の発生を回避しつつ、試料室の内部を表す画像を得ることができる。
【００１１】
前記制御部は、前記光電子増倍管の電源のオン又はオフに応じて、前記第１照明器又は前記第２照明器を動作させてもよい。
【００１２】
前記制御部は、前記電源がオン状態の場合に前記第２照明器を動作させずに前記第１照明器を動作させ、前記電源がオフ状態の場合に前記第２照明器を動作させてもよい。
【００１３】
前記制御部は、前記電源がオフになった時点から遅延時間が経過した後に、前記第２照明器を動作させてもよい。
【００１４】
荷電粒子線装置は、開閉動作可能な仕切り部材であって、閉状態のときに前記試料への荷電粒子線の照射を遮断し、開状態のときに前記試料への荷電粒子線の照射を遮断しない仕切り部材を更に含み、前記電源のオン及びオフは、前記仕切り部材の開動作及び閉動作に連動し、前記制御部は、前記電源のオン及びオフに連動して、前記第１照明器又は前記第２照明器を動作させてもよい。
【００１５】
前記特別光は、近赤外領域の波長を有する光であり、前記一般光は、可視光領域の波長を有する光であってもよい。
【００１６】
前記制御部は、カラー画像表示を優先させるモードでは、前記光電子増倍管の電源をオフすると共に、前記第２照明器を動作させてもよい。
【発明の効果】
【００１７】
本発明によれば、荷電粒子線装置において、光電子増倍管を用いた観察中においても試料室の内部を表す画像が得られる。
【図面の簡単な説明】
【００１８】
【図１】本発明の実施形態に係る荷電粒子線装置を示す図である。
【図２】撮影装置を示す図である。
【図３】照明部を示す図である。
【図４】照明部の制御の概略を説明するための図である。
【図５】照明部の制御のシーケンスを示す図である。
【発明を実施するための形態】
【００１９】
以下、本発明の実施形態に係る荷電粒子線装置について説明する。荷電粒子線装置は、荷電粒子ビームを用いて観察を行う装置である。図１には、荷電粒子線装置の一例としての走査型電子顕微鏡（ＳＥＭ）１０が示されている。走査型電子顕微鏡１０は、試料に電子線を照射し、その試料から発生した二次電子を検出することで二次電子像を形成する装置である。以下では、荷電粒子線装置の一例として走査型電子顕微鏡について説明するが、本実施形態は、走査型電子顕微鏡以外の荷電粒子線装置に適用されてもよい。
【００２０】
走査型電子顕微鏡１０は、内部に試料が配置される試料室１２と、試料に電子線を照射する電子線照射部１４と、試料から発生した二次電子を検出する二次電子検出器１６と、二次電子検出器１６に電力を供給する電源１８と、試料室１２の内部を観察するための撮影装置２０と、制御装置２２と、表示装置２４とを含む。また、図１には示されていないが、走査型電子顕微鏡１０は、試料室１２内部に配置される試料を交換するための交換室、及び、試料室１２の内部や交換室の内部を減圧するための真空排気系（真空ポンプ等を含む）を含む。なお、試料の交換は、ロッドを用いた手動式の交換であってもよいし、自動式の交換であってもよい。
【００２１】
試料室１２の内部には、ステージ２６が配置されている。試料２８は、ステージ２６上に配置されてステージ２６によって保持される。ステージ２６は、例えば、ｘ軸、ｙ軸及びｚ軸の三次元方向（平面方向と高さ方向）に移動可能なステージであってもよいし、二次元方向（平面方向）に移動可能なステージであってもよい。また、ステージ２６は、試料２８を保持した状態で試料２８を傾斜させることが可能な構成を有していてもよい。
【００２２】
電子線照射部１４は、電子線を発生させる電子銃３０と、電子銃３０と試料２８との間の経路に配置された開閉動作可能な仕切り弁３２と、コイル群（偏向コイルや走査コイルを含む）と、レンズ群（集束レンズや対物レンズを含む）とを含む。例えば、電子線照射部１４の各構成として公知の構成が用いられる。仕切り弁３２は、例えばゲートバルブ等のバルブである。仕切り弁３２が閉じた状態（閉状態）では、電子銃３０と試料２８との間の経路が仕切り弁３２によって塞がれるので、試料２８への電子線の照射が遮断される。つまり、仕切り弁３２が閉じた状態では、電子銃３０から発生した電子線は、仕切り弁３２に照射されるので、電子線は試料２８に照射されない。仕切り弁３２が開いた状態（開状態）では、電子銃３０と試料２８との間の経路は仕切り弁３２によって塞がれないので、電子銃３０から発生した電子線は、仕切り弁３２によって遮断されずに試料２８に照射される。電子線は、集束レンズや対物レンズによって試料２８の表面上に集束され、走査コイルによって試料２８上で走査される。電子線の照射によって試料２８から二次電子が放出される。
【００２３】
二次電子検出器１６は、例えば、シンチレータ（蛍光体）と、ライトガイドと、光電子増倍管（ＰＭＴ）とを含み、試料２８から放出された二次電子を検出する。二次電子検出器１６の各構成として、例えば、公知の構成が用いられる。光電子増倍管は、例えば、３００〜６５０ｎｍの波長を有する光を検出する。例えば、二次電子検出器１６の前面に正の高電圧（例えば＋１０ｋＶ）を印加することで、試料２８から放出された二次電子をシンチレータに衝突させる。こうして捕獲された電子は光に変換され、ライトガイドを通じて光電子増倍管に導かれ、光電子増倍管にて光の強度に応じた光電子に変換される。変換後の光電子は、光電子増倍管に含まれるダイノードに衝突する。各ダイノードの間には５００〜１０００Ｖ程度の高電圧（ＨＶ）が印加されており、これにより、最初に検出された二次電子が増倍される。その増倍された二次電子が最終的に信号電流として取り出されて制御装置２２に出力される。二次電子検出器１６には電源１８が接続されており、その電源１８によって、光電子増倍管に高電圧（ＨＶ）が印加される。
【００２４】
撮影装置２０は、試料室１２の内部を撮影するための光学カメラと、試料室１２の内部を照らすための照明部とを含む。撮影装置２０の構成については後で詳しく説明する。
【００２５】
制御装置２２は、走査型電子顕微鏡１０の各部の動作を制御する装置である。制御装置２２は、例えば、電子線照射部１４の制御（電子線の照射や走査等の制御）、仕切り弁３２の開閉動作の制御、ステージ２６の移動や傾斜の制御、電源１８の制御（光電子増倍管への電圧印加の制御）等を行う。また、制御装置２２は、照明制御部３４と画像処理部３６とを含む。
【００２６】
照明制御部３４は、撮影装置２０の動作を制御する機能を有する。具体的には、照明制御部３４は、撮影装置２０に含まれる各照明ランプのオン及びオフを制御する。具体的な制御については後で詳しく説明する。
【００２７】
画像処理部３６は、二次電子検出器１６（光電子増倍管）から出力された電気信号に基づいて二次電子像を生成する機能を有する。制御装置２２は、その二次電子像を表示装置２４に表示させる。
【００２８】
また、撮影装置２０による撮影によって生成された画像データが、撮影装置２０から制御装置２２に出力される。制御装置２２は、その画像を表示装置２４に表示させる。なお、撮影装置２０によって得られた画像と二次電子像は、同じ表示装置に表示されてもよいし、それぞれ異なる表示装置に表示されてもよい。
【００２９】
制御装置２２は、例えば、ハードウェアとソフトウェアとの協働により実現される。具体的には、制御装置２２は、１又は複数のＣＰＵ等のプロセッサを備えている。当該１又は複数のプロセッサが、図示しない記憶装置に記憶されているプログラムを読み出して実行することで、制御装置２２の機能が実現される。例えば、制御装置２２は、例えば、パーソナルコンピュータ（ＰＣ）によって構成されてもよい。別の例として、制御装置２２の各部は、プロセッサや電子回路やＡＳＩＣ（Application Specific Integrated Circuit）等のハードウェア資源により実現されてもよい。その実現においてメモリ等のデバイスが利用されてもよい。更に別の例として、制御装置２２の各部は、ＤＳＰ（Digital Signal Processor）やＦＰＧＡ（Field Programmable Gate Array）等によって実現されてもよい。
【００３０】
以下、図２を参照して、撮影装置２０の構成について詳しく説明する。図２には、撮影装置２０の断面が示されている。
【００３１】
試料室１２の壁面には開口部１２ａが形成されており、試料室１２の内部が真空状態に維持されるように、その開口部１２ａにフランジ３８が取り付けられている。開口部１２ａは、観察者が試料室１２の内部を観察したい位置に形成される。フランジ３８には、窓部４０が取り付けられている。窓部４０は、例えば、アクリルやガラス等の透明部材によって構成されている。窓部４０が、フランジ３８に対する真空シールとして機能する。このような構成によって、試料室１２の内部を真空状態に維持した状態で、観察者は、窓部４０を介して、大気側から試料室１２の内部を観察することができる。
【００３２】
撮影装置２０は、撮影手段としての光学カメラ４２と、光学カメラ４２と窓部４０との間に配置されたレンズ４４と、光学カメラ４２に接続された基板４６と、基板４６に接続されたケーブル４８と、試料室１２の内部を照らす照明部５０とを含む。また、撮影装置２０は、光学カメラ４２、レンズ４４及び照明部５０を内部に収容する内ケース５２と、内ケース５２及び基板４６を内部に収容する外ケース５４とを含む。撮影装置２０を構成する各部は一体化されていてもよいし、それぞれ別体であってもよい。
【００３３】
光学カメラ４２は、例えば、ＣＣＤ（Charged-coupled devices）やＣＭＯＳ（Complementary metal-oxide-semiconductor）等の撮像素子を有し、試料室１２の内部の観察対象に焦点が合わされた状態で内ケース５２に固定されている。光学カメラ４２として、少なくとも可視光から近赤外光までの波長領域の観察が可能な撮像素子が用いられる。光学カメラ４２によって撮影された画像のデータは、ケーブル４８を介して制御装置２２に出力され、その画像は表示装置２４に表示される。照明部５０は、互いに波長の異なる複数の照明ランプを含む。各照明ランプは、試料室１２の内部を照らすように、光学カメラ４２及びレンズ４４の周囲に取り付けられている。外ケース５４は、フランジ３８や試料室１２の内部への外部光の照射を遮蔽するように取り付けられている。
【００３４】
以下、図３を参照して、照明部５０の構成について詳しく説明する。図３には、図２において照明部５０を矢印Ａの方向から見たときの照明部５０の構成が示されている。
【００３５】
照明部５０は、光学カメラ４２による観察用の照明器であり、一例として、複数の近赤外ランプ５０ａと、複数の可視光ランプ５０ｂとを含む。近赤外ランプ５０ａは、二次電子検出器１６に含まれる光電子増倍管の検出外の波長を有する光を照射する第１照明器である。具体的には、近赤外ランプ５０ａは、特別光として近赤外領域の波長（例えば７５０〜１４００ｎｍの波長域）を有する光を照射する。可視光ランプ５０ｂは、一般光として可視光領域の波長を有する光を照射する第２照明器である。各近赤外ランプ５０ａと各可視光ランプ５０ｂは、例えばＬＥＤである。もちろん、ＬＥＤ以外の光源が各ランプとして用いられてもよい。複数の近赤外ランプ５０ａと複数の可視光ランプ５０ｂは、光学カメラ４２とレンズ４４を囲むように、光学カメラ４２とレンズ４４の周囲に配置されている。各近赤外ランプ５０ａと各可視光ランプ５０ｂは、試料室１２の内部に光を照射するように、試料室１２の内部に向けられた状態で配置されている。近赤外ランプ５０ａから出射した近赤外光（近赤外領域の波長を有する光）は、窓部４０を介して試料室１２の内部に照射される。同様に、可視光ランプ５０ｂから出射した可視光（可視光領域の波長を有する光）は、窓部４０を介して試料室１２の内部に照射される。例えば、試料２８やその周囲の部材等に向けて撮影装置２０が配置された場合、試料２８や周囲の部材等が、近赤外光や可視光によって照らされる。
【００３６】
図３に示す例では、照明部５０は、４個の近赤外ランプ５０ａと４個の可視光ランプ５０ｂとを含む。例えば、上下方向に２個ずつ近赤外ランプ５０ａが配置されており、左右方向に２個ずつ可視光ランプ５０ｂが配置されている。もちろん、この配置は一例に過ぎず、上下方向に２個ずつ可視光ランプ５０ｂが配置され、左右方向に２個ずつ近赤外ランプ５０ａが配置されてもよい。また、各ランプの数は一例に過ぎず、照明部５０は、１又は複数の近赤外ランプ５０ａと、１又は複数の可視光ランプ５０ｂとを含んでいればよい。また、１又は複数の近赤外ランプ５０ａと１又は複数の可視光ランプ５０ｂとが、交互に配置されてもよい。近赤外ランプ５０ａの数と可視光ランプ５０ｂの数は、互いに同じであってもよいし、互いに異なっていてもよい。
【００３７】
以下、図４を参照して、照明部５０の制御の概略について説明する。図４には、その制御の概略が示されている。
【００３８】
走査型電子顕微鏡１０によって二次電子像の観察が行われているとき、すなわち、二次電子検出器１６に含まれる光電子増倍管に高電圧（ＨＶ）が印加されているときは（図４中のＹＥＳ）、近赤外ランプ５０ａから近赤外光が試料室１２の内部に照射され（図４中の近赤外ランプＯＮ）、可視光ランプ５０ｂは消灯する（図４中の可視光ランプＯＦＦ）。これにより、光学カメラ４２による撮影によって単色画像が生成され、その単色画像が表示装置２４に表示される。
【００３９】
一方、走査型電子顕微鏡１０によって二次電子像の観察が行われていないとき、すなわち、光電子増倍管に高電圧（ＨＶ）が印加されていないときは（図４中のＮＯ）、近赤外ランプ５０ａは消灯し（図４中の近赤外ランプＯＦＦ）、可視光ランプ５０ｂから可視光が試料室１２の内部に照射される（図４中の可視光ランプＯＮ）。これにより、光学カメラ４２による撮影によってカラー画像が生成され、そのカラー画像が表示装置２４に表示される。
【００４０】
以下、図５を参照して、照明部５０の制御の詳細について説明する。図５には、照明部５０の制御のシーケンスの一例が示されている。横軸は時間軸を示している。
【００４１】
まず、制御装置２２は、電子銃３０をオンすることで電子銃３０から電子線を発生させる。二次電子像の観察前の段階においては、制御装置２２は、仕切り弁３２を閉じた状態に維持する。こうすることで、電子銃３０と試料２８との間の経路が仕切り弁３２によって塞がれるので、電子銃３０から試料２８への電子線の照射が仕切り弁３２によって遮断される。なお、二次電子像の観察前の段階であっても、制御装置２２は、電子銃３０から電子線を発生させる。これにより、電子銃３０から電子線が継続的に発生し、仕切り弁３２の開閉動作によって、試料２８への電子線の照射の有無が制御される。もちろん、二次電子像の観察が行われていない場合、制御装置２２は、電子銃３０をオフすることで電子銃３０からの電子線の発生を停止させてもよい。
【００４２】
次に、二次電子像の観察の指示（二次電子像による測定の指示）が走査型電子顕微鏡１０に与えられた場合、制御装置２２は、仕切り弁３２を開く。例えば、観察者が走査型電子顕微鏡１０を操作することで、二次電子像の観察の指示を与える。図５に示す例では、時点ｔ１で仕切り弁３２が開いた状態となっている。仕切り弁３２が開くと、電子銃３０から発生した電子線は仕切り弁３２によって遮断されないため、電子線は試料２８に照射される。試料２８に電子線が照射されることで、試料２８から二次電子が発生する。
【００４３】
制御装置２２は、仕切り弁３２を開けたことに連動させて、電源１８をオンすることで、二次電子検出器１６に含まれる光電子増倍管に対して電源１８から高電圧（ＨＶ）を印加する。図５に示す例では、時点ｔ１で高電圧（ＨＶ）がオン状態になって光電子増倍管に印加されている。これにより、試料２８から発生した二次電子が二次電子検出器１６によって検出され、その検出結果としての二次電子像が表示装置２４に表示される。
【００４４】
光電子増倍管に対して高電圧（ＨＶ）を印加する前の時点、すなわち、時点ｔ１よりも前の時点では、照明制御部３４は、各近赤外ランプ５０ａをオフ状態（消灯状態）に維持し、各可視光ランプ５０ｂをオン状態（点灯状態）に維持する。こうすることで、試料室１２の内部に対して近赤外光は照射されずに可視光が照射され、光学カメラ４２によってカラー画像が撮影され、そのカラー画像が表示装置２４に表示される。観察者は、カラー画像によって試料室１２の内部を観察することができる。なお、時点ｔ１よりも前の時点でカラー画像の表示が不要な場合、照明制御部３４は、各可視光ランプ５０ｂをオフ状態（消灯状態）に維持してもよい。例えば、観察者が走査型電子顕微鏡１０を操作して、可視光ランプ５０ｂの消灯を指示した場合、照明制御部３４は、各可視光ランプ５０ｂをオフ状態に維持する。
【００４５】
照明制御部３４は、光電子増倍管に対する高電圧（ＨＶ）の印加に連動させて、各近赤外ランプ５０ａをオン状態（点灯状態）にし、各可視光ランプ５０ｂをオフ状態（消灯状態）にする。これにより、各近赤外ランプ５０ａが点灯し、各可視光ランプ５０ｂが消灯する。図５に示す例では、時点ｔ１で、近赤外ランプ５０ａがオン状態となって、近赤外光が照明部５０から試料室１２の内部に照射され、可視光ランプ５０ｂがオフ状態となる（消灯する）。こうすることで、試料室１２の内部に対して可視光は照射されずに近赤外光が照射され、光学カメラ４２によって単色画像が撮影される。その単色画像が表示装置２４に表示される。図５に示す例では、時点ｔ１以降、単色画像が生成されて表示装置２４に表示される。光電子増倍管に対する高電圧（ＨＶ）の印加に連動させて各可視光ランプ５０ｂをオフ状態（消灯状態）にすることで、可視光が光電子増倍管に入射することで発生し得る問題（ＤＣレベルの上昇や光電子増倍管の破壊等）の発生を回避することができる。また、近赤外ランプ５０ａを点灯させることで、観察者は、二次電子像の観察中であっても、単色画像によって試料室１２の内部を観察することができる。
【００４６】
二次電子像の観察の終了の指示（二次電子像による測定の終了の指示）が走査型電子顕微鏡１０に与えられた場合、制御装置２２は、仕切り弁３２を閉じる。例えば、観察者が走査型電子顕微鏡１０を操作することで、観察の終了の指示を与える。図５に示す例では、時点ｔ２で仕切り弁３２が閉じた状態となっている。仕切り弁３２が閉じると、電子銃３０から発生した電子線は仕切り弁３２によって遮断されるため、電子線は試料２８に照射されない。従って、試料２８から二次電子は発生せず、二次電子像は生成されない。
【００４７】
制御装置２２は、仕切り弁３２を閉じたことに連動させて、電源１８をオフすることで、二次電子検出器１６に含まれる光電子増倍管に対する電源１８からの高電圧（ＨＶ）の印加を停止する。図５に示す例では、時点ｔ２で高電圧（ＨＶ）がオフ状態なって、光電子増倍管への高電圧（ＨＶ）の印加が停止している。
【００４８】
照明制御部３４は、光電子増倍管に対する高電圧（ＨＶ）の印加停止に連動させて、各近赤外ランプ５０ａをオフ状態（消灯状態）にし、各可視光ランプ５０ｂをオン状態（点灯状態）にする。これにより、各可視光ランプ５０ｂが点灯し、各近赤外ランプ５０ａが消灯する。こうすることで、試料室１２の内部に対して近赤外光は照射されずに可視光が照射され、光学カメラ４２によってカラー画像が撮影される。そのカラー画像が表示装置２４に表示される。これにより、観察者は、カラー画像によって試料室１２の内部を観察することができる。
【００４９】
照明制御部３４は、高電圧（ＨＶ）の印加が停止した時点ｔ２から遅延時間Δｔが経過した時点ｔ３で、各可視光ランプ５０ｂをオン状態にして各可視光ランプ５０ｂを点灯させてもよい。これにより、時点ｔ３以降においては、カラー画像が撮影されて表示装置２４に表示される。光電子増倍管に対する高電圧（ＨＶ）の印加を停止した時点ｔ２から、光電子増倍管に印加される電圧が完全にゼロ（０）になるまでに時間を要する場合があり、その時間が遅延時間Δｔとして設定されている。遅延時間Δｔは、例えば１〜２秒である。もちろん、光電子増倍管や電源１８の特性に応じて遅延時間Δｔが変わる場合があり、その場合には、その特性に応じた遅延時間Δｔが設定される。時点ｔ２から遅延時間Δｔが経過した時点ｔ３まで各可視光ランプ５０ｂをオフ状態に維持しておくことで、光電子増倍管に印加される電圧が完全にゼロになる前に、可視光が光電子増倍管に入射することを防止することができる。
【００５０】
照明制御部３４は、時点ｔ２から時点ｔ３までの間、各近赤外ランプ５０ａをオン状態（点灯状態）に維持してもよい。こうすることで、その期間中においては、単色画像が撮影されて表示装置２４に表示される。もちろん、照明制御部３４は、光電子増倍管への高電圧（ＨＶ）の印加が停止された時点ｔ２で、各近赤外ランプ５０ａ及び各可視光ランプ５０ｂの両方をオフ状態（消灯状態）に維持してもよい。この場合、時点ｔ２から時点ｔ３の間においては、単色画像及びカラー画像のいずれも表示装置２４に表示されない。
【００５１】
以上の動作をまとめると、時点ｔ１から時点ｔ２までの期間においては、仕切り弁３２が開いた状態となって電子線が試料２８に照射されると共に、光電子増倍管に高電圧（ＨＶ）が印加される。それ以外の期間においては、仕切り弁３２が閉じた状態となって電子線が試料２８に照射されず、また、光電子増倍管に高電圧（ＨＶ）が印加されない。また、時点ｔ１から時点ｔ３までの期間においては、近赤外ランプ５０ａが点灯して可視光ランプ５０ｂが消灯し、これにより、単色画像が撮影されて表示装置２４に表示される。時点ｔ１よりも前の期間、及び、時点ｔ３よりも後の期間においては、近赤外ランプ５０ａが消灯して可視光ランプ５０ｂが点灯し、これにより、カラー画像が撮影されて表示装置２４に表示される。
【００５２】
以上のように、本実施形態では、光学カメラ４２による観察用の照明ランプとして、近赤外ランプ５０ａと可視光ランプ５０ｂが用いられる。二次電子像の観察中においては、近赤外ランプ５０ａによって試料室１２の内部を照らすことで、観察者は、二次電子像の観察中であっても、試料室１２の内部を単色画像によって観察することができる。二次電子像を観察していないときには、可視光ランプ５０ｂによって試料室１２の内部を照らすことで、観察者は、試料室１２の内部をカラー画像によって観察することができる。
【００５３】
また、光電子増倍管に対して高電圧（ＨＶ）を印加しているときは近赤外ランプ５０ａを点灯して可視光ランプ５０ｂを消灯することで、試料室１２の内部を表す単色画像を表示しつつ、可視光が光電子増倍管に入射することで発生し得る問題（ＤＣレベルの上昇や光電子増倍管の破壊等）の発生を回避することができる。
【００５４】
制御装置２２は、カラー画像表示を優先させるモードでは、電源１８をオフにすることで電源１８から光電子増倍管への高電圧（ＨＶ）の印加を停止すると共に、可視光ランプ５０ｂを点灯させてもよい。例えば、観察者が走査型電子顕微鏡１０を操作することで、カラー画像表示を優先させるモードが選択される。
【００５５】
上記の実施形態では、照明制御部３４は、光電子増倍管に印加される高電圧（ＨＶ）のオン及びオフに連動させて、近赤外ランプ５０ａ及び可視光ランプ５０ｂのオン及びオフを制御しているが、仕切り弁３２の開閉に連動させて、近赤外ランプ５０ａ及び可視光ランプ５０ｂのオン及びオフを制御してもよい。すなわち、照明制御部３４は、仕切り弁３２が開いている場合には、近赤外ランプ５０ａをオンにして点灯させると共に、可視光ランプ５０ｂをオフにして消灯させる。また、照明制御部３４は、仕切り弁３２が閉じている場合には、近赤外ランプ５０ａをオフにして消灯させると共に、可視光ランプ５０ｂをオンにして点灯させる。このような制御を行った場合も、上記の実施形態と同様の効果を奏することができる。
【００５６】
また、上記の実施形態では、仕切り弁３２の開閉動作によって試料２８への電子線の照射を制御しているが、仕切り弁３２を用いずに、電子銃３０のオン及びオフによって試料２８への電子線の照射を制御してもよい。具体的には、二次電子像の観察時に、制御装置２２は、電子銃３０をオンにして電子銃３０から電子線を発生させる。電子銃３０から発生した電子線は試料２８に照射され、試料２８から二次電子が発生する。制御装置２２は、電子銃３０のオンに連動させて、電源１８をオンにすることで、電源１８から光電子増倍管に高電圧（ＨＶ）を印加する。更に、制御装置２２は、光電子増倍管に対する高電圧（ＨＶ）の印加に連動させて、可視光ランプ５０ｂを消灯し、近赤外ランプ５０ａを点灯させる。また、二次電子像の観察が行われない場合、制御装置２２は、電子銃３０をオフにすると共に、電源１８をオフにすることで、電源１８から光電子増倍管に対する高電圧（ＨＶ）の印加を停止させる。更に、制御装置２２は、高電圧（ＨＶ）の印加停止に連動させて、近赤外ランプ５０ａを消灯し、可視光ランプ５０ｂを点灯させる。なお、二次電子像の観察が行われない場合、制御装置２２は、電子銃３０をオフせずにオン状態を維持しつつ、電源１８をオフすることで、電源１８から光電子増倍管に対する高電圧（ＨＶ）の印加を停止させてもよい。このような制御を行った場合も、上記の実施形態と同様の効果を奏することができる。
【００５７】
照明制御部３４は、可視光ランプ５０ｂが点灯している間、近赤外ランプ５０ａを消灯させてよいし、近赤外ランプ５０ａを点灯させてもよい。近赤外ランプ５０ａと可視光ランプ５０ｂの両方を点灯させた場合、試料室１２内の金属等で反射した光の影響が、カラー画像に現れることがある。可視光ランプ５０ｂを点灯させている間、近赤外ランプ５０ａを消灯させることで、その影響を防止することができる。
【００５８】
また、光電子増倍管の検出外の波長を有する光を照射する照明ランプとして、近赤外ランプ以外の照明ランプが用いられてもよい。この場合、近赤外ランプ以外の照明ランプと可視光ランプとが用いられる。
【００５９】
上記の実施形態では、光学カメラ４２による観察用の照明ランプとして２種類の照明ランプ（近赤外ランプ５０ａと可視光ランプ５０ｂ）が用いられているが、互いに波長の異なる３種類以上の照明ランプが用いられてもよい。この場合も、光電子増倍管に高電圧（ＨＶ）が印加されている場合、光電子増倍管の検出外の波長を有する光を照射する照明ランプが点灯し、光電子増倍管が検出可能な波長を有する光を照射する照明ランプが消灯する。こうすることで、上記の実施形態と同様の効果を奏することができる。
【００６０】
光電子増倍管以外の検出器が走査型電子顕微鏡１０に設けられている場合、照明制御部３４は、その検出器のオン及びオフに連動させて、各照明ランプのオン及びオフを制御してもよい。
【符号の説明】
【００６１】
１０  走査型電子顕微鏡、１２  試料室、１４  電子線照射部、１６  二次電子検出器、１８  電源、２０  撮影装置、２２  制御装置、２４  表示装置、２８  試料、３０  電子銃、３２  仕切り弁、３４  照明制御部、５０  照明部、４２  光学カメラ、５０ａ  近赤外ランプ、５０ｂ  可視光ランプ。
【図１】
2019133787.tif 000003
【図２】
2019133787.tif 000004
【図３】
2019133787.tif 000005
【図４】
2019133787.tif 000006
【図５】
2019133787.tif 000007